(57)【要約】  アンテナ周囲からの影響を受けにくく、ＶＨＦ帯の無線周波を利用したテレメトリによる野生動物の調査に好適な小形軽量のアンテナ素子を提供する。  所定の幅寸法Ｗ、及び、長さ寸法Ｌを有する導体テープ２を、絶縁セパレータ膜３と積層し、これらを導体テープ２の長手方向と直交する軸線ＡＬ周りに、円筒状に巻回してアンテナ素子１を形成する。尚、導体テープ２の長さ寸法Ｌは、運用最低周波数の１／４波長の電気長に設定し、厚さ寸法ｔは、使用周波数帯域における電流が表面電流の１／ｅになる表皮深さの２倍以上に設定する。
2013035152.tif 000002
【特許請求の範囲】
【請求項１】
所定の幅と長さを有する導体テープを、絶縁セパレータと積層し、これらを導体テープの長手方向と直交する軸線周りに巻回して形成したことを特徴とするアンテナ素子。
【請求項２】
所定の幅と長さを有する導体テープを、絶縁セパレータと積層し、これらを導体テープの長手方向と直交する二本の平行線の周りに、扁平状に巻回して形成したことを特徴とするアンテナ素子。
【請求項３】
導体テープの長さ寸法を、運用最低周波数の１／４波長の電気長に設定したことを特徴とする、請求項１又は請求項２に記載のアンテナ素子。
【請求項４】
導体テープの厚さ寸法を、使用周波数帯域における電流が表面電流の１／ｅになる表皮深さの２倍以上に設定したことを特徴とする、請求項１又は請求項２に記載のアンテナ素子。
【発明の詳細な説明】
【技術分野】
【０００１】
本発明は、アンテナ素子に関し、特に、ＶＨＦ帯の無線周波を利用した、テレメトリによる野生動物の調査に好適な小型アンテナ素子に関する。
【背景技術】
【０００２】
現在、各種の無線送受信機において、用途に応じてアンテナ素子の小型化が行われ、それぞれ実用化されている。例えば、ＶＨＦ帯用のアンテナでは、ハンディートーキーやトランシーバなどのアマチュア無線機器用のアンテナとして、密巻形式或いは粗巻スプリング形式のλ／４単一型の小型ヘリカルアンテナ（ホイップアンテナ）が知られている。【０００３】
また、ＵＨＦ帯やＳＨＦ帯を利用するＲＦＩＤシステムでは、ＩＣカードやＩＣタグ用のアンテナとして、銅細線を渦巻状に巻回して形成した極薄渦巻コイル、金属箔からエッチングで形成した極薄渦巻コイル、或いは、金属箔をロール状に巻いてから輪切り状にスライスしてシート状に形成した極薄渦巻コイルからなる超小型アンテナなどが知られている。
【先行技術文献】
【特許文献】
【０００４】
【特許文献１】特開２００１−１８５９４０号公報
【特許文献２】特開２００１−１８５９４１号公報
【発明の概要】
【発明が解決しようとする課題】
【０００５】
ところで、野生動物の生態行動調査を行うような場合において、テレメトリ（遠隔測定法）と呼ばれる調査方法が実施されているが、このテレメトリに使用される無線機器用のアンテナは、小型で、軽量で、帯域幅が広く、アンテナの周囲に対して鈍感であること（アンテナ周囲からの外部影響を受けにくいこと）が望ましい。しかしながら、上述したような従来の小型アンテナは、このような用途にはあまり向いていない。【０００６】
具体的に説明すると、密巻形式或いは粗巻スプリング形式の小型ヘリカルアンテナは、実際にはあまり効率が良いとは言えず、特に、超コンパクトな小型ヘリカルアンテナでは、動作Ｑが高くなり、また、アンテナ周囲からの影響に対して極めて敏感である。また、ＲＦＩＤシステムにおいて利用されている極薄渦巻コイルは、一般に帯域幅が狭く、指向性が強く、周囲の水や誘電体の影響を受けやすい。従って、いずれのアンテナも、野外環境での動物の生態行動調査などの用途には不向きである。【０００７】
本発明は、このような従来技術における課題を解決しようとするものであって、アンテナ周囲からの影響を受けにくく、特にＶＨＦ帯の無線周波を利用したテレメトリによる野生動物の調査に好適な小型軽量のアンテナ素子を提供することを目的とする。
【課題を解決するための手段】
【０００８】
本発明に係るアンテナ素子は、所定の幅と長さを有する導体テープを、絶縁セパレータと積層し、これらを導体テープの長手方向と直交する軸線周りにロール状に巻回して形成し、或いは、導体テープの長手方向と直交する二本の平行線の周りに、扁平ロール状に巻回して形成したことを特徴としている。尚、ここに言う「絶縁セパレータ」とは、各種の素材をテープ状或いはフィルム状に成形してなる固体（絶縁セパレータ膜）のみならず、空気等の気体をも包含し、「導体テープを絶縁セパレータと積層して巻回する」とは、巻回される導体テープ同士が接触せず、ロール層間に所定の空間乃至は間隙が形成されるように導体テープを巻回することをも包含する趣旨である。【０００９】
地導体のグラウンド面上にこのアンテナ素子を突設させることによってホイップアンテナを構成する場合、導体テープの幅寸法が、地導体グラウンド面からのアンテナ素子の実質的な突出寸法となる。【００１０】
導体テープの長さ寸法は、使用周波数帯域に応じて、例えば、ＶＨＦ帯であれば２００〜１０００ｍｍとすることができる。これは、実験によれば、波長の１／６から１／７の長さに相当し、誘電体を挟んだ伝送路としての電気長は１／４波長となる。また、導体テープの厚さ寸法は、材質に応じて、使用周波数帯域における電流が、表面電流の１／ｅ（約０．３７）になる表皮深さの２倍以上とすることが望ましい。この場合、励振電流が導体テープの両面を逆向きに流れることになり、電力効率の低下を回避することができる。【００１１】
本発明のアンテナ素子において、給電は、ロール状導体テープの始点（軸心側）と、ロール状導体テープの両端面（導体テープ及び絶縁セパレータ膜の長手側縁が渦巻状に表れる端面）のうちの一方の端面における任意の巻き回数位置において導体テープから取り出したタップとの間で行われる。タップは、導線の直結によるもののほか、導体テープのロール層内の適正な位置に導体ストリップを挟み込んで、容量結合のタップを取り出してもよい。また、ロール状導体テープの始点における給電線との結合も、被覆導体の巻き芯を軸心に配置して容量結合させるなど、種々の方式を採用することが可能である。このようなタップや巻き芯導体によって、例えば、ＳＭＡコネクタにこのアンテナ素子を実装すれば、無指向性の小型軽量外付けアンテナを構成することができる。【００１２】
尚、導体テープとしては、銅箔テープ、或いは、アルミニウム箔テープを用いることができる。また、絶縁セパレータ膜としては、紙テープ、ＰＥ（ポリエチレン）フィルム、ＰＥＴ（ポリエチレンテレフタレート）フィルム、或いは、それらの樹脂の発泡体フィルムを用いることができる。
【発明の効果】
【００１３】
本発明に係るアンテナ素子においては、導体テープのループにドライブ電流が流れると、ロール状導体テープの内部において、軸線に沿った方向の磁気ダイポールが発生し、これが磁流源となって磁界放射が行われる。この場合、アンテナ素子の外周部では電界放射が殆どなく、周囲に対して鈍感であるので、アンテナ周囲からの外部影響を受けにくい。【００１４】
また、導体テープの厚さ寸法を、材質に応じて、使用周波数帯域における電流が表面電流の１／ｅ（約０．３７）になる表皮深さの２倍以上となるように設定した場合、高周波励振電流が導体テープの両面を逆向きに流れることになり、電力効率の低下を回避することができ、効率の良い無指向性のアンテナ素子を実現することができる。
【図面の簡単な説明】
【００１５】
【図１】図１は、本発明の第一実施形態に係るアンテナ素子１の斜視図である。
【図２】図２は、図１に示したアンテナ素子１の展開図である。
【図３】図３は、図１に示したアンテナ素子１をＳＭＡコネクタ８に実装した状態を示す図である。
【図４】図４は、本発明の第二実施形態に係るアンテナ素子１の側面図である。
【発明を実施するための形態】
【００１６】
本発明「アンテナ素子」の実施形態について説明する。図１は、本発明の第一実施形態に係るアンテナ素子１の斜視図であり、図２は、その展開図である。このアンテナ素子１は、幅寸法Ｗに対して長さ寸法Ｌが大きい導体テープ２を、絶縁セパレータ膜３と積層して（図２参照）、これらを導体テープ２の長手方向と直交する（幅方向Ｗに沿った）軸線ＡＬ（図１参照）周りに、ロール状に巻回して形成したものである。
【００１７】
尚、本実施形態においては、導体テープ２の長さ寸法Ｌは、波長の１／６から１／７に相当する長さに設定されている。この場合、誘電体を挟んだ伝送路としての電気長は、使用周波数で１／４波長の長さとなる。導体テープ２は、図１に示すように円筒状に巻回されているが、その輪郭形状は円形には限定されず、三角形、四角形、その他の多角形、異形とすることもできる。また、筒状ではなく、棒状（つまり、円柱状、角柱状など）とすることもできる。
【００１８】
図示されているように、ロール状導体テープ２の始点Ｌ１（導体テープ２の長手方向の両端部のうち、軸心側となる端部）には、第１タップ４が、導線をはんだ付け（或いは溶接）することによって接続され、また、ロール状導体テープ２における任意の巻き回数位置Ｌ２（例えば、展開した導体テープ２において始点Ｌ１から５０ｍｍの位置）には、第２タップ５が、第１タップ４と同様に、導線をはんだ付け（或いは溶接）することによって接続されている。尚、タップの接続方法は特に限定されず、上述のように導体テープ２に導線を直結してもよいし、導体テープ２のロール層内にタップ用の導体ストリップを挟み込んで、容量結合のタップとしてもよい。
【００１９】
また、他の位置（第１タップ４及び第２タップ５とは異なる位置）、例えば、展開した導体テープ２において始点Ｌ１から７５ｍｍの位置、或いは、１００ｍｍの位置などに、第３タップ、或いは、第４タップを接続し、タップの切り換えが可能なように構成してもよい。
【００２０】
このアンテナ素子１に対する給電は、第１タップ４と第２タップ５の間で行われる。尚、ロール状導体テープ２の始点Ｌ１に接続される第１タップ４の導線に代えて、被覆導体を、巻き芯としてロール状導体テープ２の軸心に配置して給電線と接続し、ロール状導体テープ２の始点と給電線との結合を容量結合とすることも可能である。
【００２１】
導体テープ２としては、金、銀、銅、アルミニウム、或いは、これら各金属の合金からなる高導電率非磁性金属箔のテープや、金属を樹脂フィルムにメッキ又は蒸着してなるラミネートテープを使用することができるが、一般的には、電気銅又は銅合金からなる銅箔テープ、或いは、アルミニウム箔テープを用ることが望ましい。
【００２２】
導体テープ２の長さ寸法Ｌは、使用周波数帯域に応じて設定する。例えば、ＶＨＦ帯であれば２００〜１０００ｍｍとする。これは、実験によれば、波長の１／６から１／７に相当し、誘電体を挟んだ伝送路としての電気長は１／４波長となる。また、導体テープ２の厚さ寸法ｔは、材質に応じて設定する。具体的には、使用周波数帯域における高周波表皮電流が流れる表皮深さの２倍以上（好ましくは３倍以上）とする。これにより、高周波励振電流が導体テープの両面を逆向きに流れるようにすることができる。但し、厚さ寸法ｔが表皮深さの１０倍を超えると、アンテナ素子としての小型軽量化が阻害されるので望ましくない。
【００２３】
導体中を流れる高周波電流の表皮効果による表皮深さは、ｄ＝(２／σωμ)1/2で定義される。ここで、σは導体の導電率、ωは電流の角周波数(＝２πｆ)、μは導体の透磁率である。例えば、導体が銅の場合は非磁性体であるので、μは空気中の透磁率とほぼ等しく、従って周波数ｆをＧＨｚで定義すると、銅の導電率(＝５８．１×106ｓ／ｍ)から表皮深さｄ(μｍ)は約２．０９（１／ｆ）1/2となり、１００ＭＨｚで６．６１μｍ、３００ＭＨｚで約３．８１μｍ程度となる。同様に、導体がアルミニウムの場合の表皮深さｄ(μｍ)は、１００ＭＨｚで７．９６μｍ、３００ＭＨｚで約４．５９μｍ程度となる。
【００２４】
絶縁セパレータ膜３は、ロール状導体テープ２の層間絶縁を果たすためのものであり、紙テープ、ＰＥ（ポリエチレン）フィルム、ＰＥＴ（ポリエチレンテレフタレート）フィルムなど、各種材質のものを、誘電率及び厚さに応じて適宜選択することができる。また、導体テープ２として、樹脂フィルムに金属をメッキ又は蒸着してなるラミネートテープを使用するには、そのラミネートテープのベースフィルムを、絶縁セパレータ膜として利用してもよい。
【００２５】
図３は、図１に示したアンテナ素子１を、第１タップ４及び第２タップ５によってＳＭＡコネクタ８に実装した状態を示している。図示されているように、この例では、ＳＭＡコネクタ８は、地導体を構成する金属パネル７の下側において、コネクタ部８ａが下向きとなるように固定されている。アンテナ素子１の第１タップ４は、ＳＭＡコネクタ８の芯線９と接続され、第２タップ５は、ＳＭＡコネクタ８の外被導体から金属パネル７（地導体）に接続されている。尚、第１タップ４、第２タップ５、及び、芯線９には、破線で示す同相電流阻止用のコア６が被されている。アンテナ素子１とコア６の部分は、図示しない樹脂製ケース内に納めてもよい。
【００２６】
図４は、本発明の第二実施形態に係るアンテナ素子１の側面図である。本実施形態のアンテナ素子１は、絶縁セパレータ膜３と積層した導体テープ２を、その長手方向と直交する（幅方向Ｗに沿った）二本の平行線ＰＬ１，ＰＬ２の周りに、扁平状に巻回して形成されている点で、図１に示す第一実施形態のアンテナ素子１と相違しているが、その他の点では、第一実施形態のアンテナ素子１と同等である。このような薄型扁平形状のアンテナ素子１は、幅寸法及び長さ寸法を適正に選択すれば、例えば、小鳥やコウモリなどに装着する小型無線機の筐体内に実装することも可能である。
【００２７】
以下、本発明に係るアンテナ素子の実施例について説明する。
【実施例１】
【００２８】
導体テープを絶縁セパレータ膜と積層して、これらを導体テープの長手方向と直交する軸線周りに円筒状に巻回して、下記のようなアンテナ素子を試作した。
・導体テープ（銅テープ）
幅寸法Ｗ  ：  ３６ｍｍ
長さ寸法Ｌ：  ２６０ｍｍ
厚さ寸法ｔ：  ３５μｍ
・絶縁セパレータ膜（紙テープ）
厚さ寸法：  ０．１２ｍｍ
・第１タップ（銅線）
接続位置：  ロール状導体テープの始点
・第２タップ（銅線）
接続位置：  展開した導体テープにおいて始点から５０ｍｍの位置
・アンテナ素子
外寸長：  ４０ｍｍ
内径  ：  ２．５ｍｍ
外径  ：  １０ｍｍ
形状  ：  円筒状
重量  ：  ４．６ｇ（タップに被せたコアを含めた場合：６．１ｇ）【００２９】
このアンテナ素子の特性を、ベクトルネットワークアナライザ（アンリツ株式会社、ＭＳ２０３４Ａ）を用いて測定したところ、共振周波数１４３．６４ＭＨｚで電圧定在波比（ＶＳＷＲ）が１．２０、特性インピーダンスは４４．５２＋６．４９ｊであり、周囲磁界特性は非常に幅広く安定していて、帯域幅も広いことが確認された。利得は−１５．３ｄＢｄ、ダイポール比で３％であった。
【実施例２】
【００３０】
導体テープを絶縁セパレータ膜と積層して、これらを導体テープの長手方向と直交する二本の平行線周りに平たく積層状に（扁平ロール状に）巻回して、下記のようなアンテナ素子を試作した。
・導体テープ（銅テープ）
幅寸法Ｗ  ：  ２０ｍｍ
長さ寸法Ｌ：  ２５０ｍｍ
厚さ寸法ｔ：  ３５μｍ
・絶縁セパレータ膜（中密度ＰＥフィルム）
厚さ寸法：  ０．０８ｍｍ
・第１タップ（銅線）
接続位置：  ロール状導体テープの始点
・第２タップ（銅線）
接続位置：  展開した導体テープにおいて始点から１００ｍｍの位置
・アンテナ素子
外寸長  ：  ２４ｍｍ
幅寸法  ：  １４ｍｍ
厚さ寸法：  ２．５ｍｍ
形状    ：  薄型扁平状
重量    ：  ２．８ｇ（タップに被せたコアを含めた場合：４．３ｇ）【００３１】
このアンテナ素子の特性を、ベクトルネットワークアナライザ（アンリツ株式会社、ＭＳ２０３４Ａ）を用いて測定したところ、共振周波数１４５ＭＨｚでＶＳＷＲからみた帯域幅は、ＶＳＷＲ＜２で５ＭＨｚ程度であった。利得は−１３．７８ｄＢｄになり、標準ダイポールの４．２％の効率が得られた。
【実施例３】
【００３２】
導体テープを絶縁セパレータ膜と積層して、これらを導体テープの長手方向と直交する軸線周りに円筒状に巻回して、下記のようなアンテナ素子を試作した。
・導体テープ（銅テープ）
幅寸法Ｗ  ：  ３６ｍｍ
長さ寸法Ｌ：  ２５０ｍｍ
厚さ寸法ｔ：  ３５μｍ
・絶縁セパレータ膜（中密度ＰＥフィルム）
厚さ寸法：  ０．０８ｍｍ
・第１タップ（銅線）
接続位置：  ロール状導体テープの始点
・第２タップ（銅線）
接続位置：  展開した導体テープにおいて始点から５０ｍｍの位置
・アンテナ素子
外寸長：  ４３ｍｍ
外径  ：  ８．８ｍｍ
形状  ：  円筒状
重量  ：  ４．９ｇ（タップに被せたコアを含めた場合：６．４ｇ）【００３３】
このアンテナ素子の特性を、ベクトルネットワークアナライザ（アンリツ株式会社、ＭＳ２０３４Ａ）を用いて測定したところ、共振周波数１４５．１８ＭＨｚでＶＳＷＲが１．３１、特性インピーダンスは６０．６７−１０．７ｊであり、ＶＳＷＲからみた帯域幅はＶＳＷＲ＜２で４．５５ＭＨｚ（＝３％）であった。また、アナライザの送信端にλ／２ダイポール送信アンテナを接続し、この送信アンテナに対する被検アンテナの結合特性（Ｓ２１）を測定したところ、１４５ＭＨｚにおいて、３１．２１ｄＢであった。計算上の利得は、−１５．２７ｄＢｄになり、標準ダイポールの比率としては３％であった。
【実施例４】
【００３４】
導体テープを絶縁セパレータ膜と積層して、これらを導体テープの長手方向と直交する軸線周りに円筒状に巻回して、下記のようなアンテナ素子を試作した。
・導体テープ（銅テープ）
幅寸法Ｗ  ：  ３６ｍｍ
長さ寸法Ｌ：  ４７０ｍｍ
厚さ寸法ｔ：  ３５μｍ
・絶縁セパレータ膜（ＰＥフォームテープ）
厚さ寸法：  １．１ｍｍ
・第１タップ（銅線）
接続位置：  ロール状導体テープの始点
・第２タップ（銅線）
接続位置：  展開した導体テープにおいて始点から５０ｍｍの位置
・アンテナ素子
外寸長：  ４３ｍｍ
外径  ：  ２２ｍｍ
形状  ：  円筒状
重量  ：  ９．８ｇ（銅箔：４ｇ、ＰＥフォーム：５．８ｇ）【００３５】
このアンテナ素子の特性を、ベクトルネットワークアナライザ（アンリツ株式会社、ＭＳ２０３４Ａ）を用いて測定したところ、共振周波数１４５ＭＨｚでＶＳＷＲが１．２９、特性インピーダンスは５７．８９−１１．３３ｊであり、ＶＳＷＲからみた帯域幅はＶＳＷＲ＜２で４．４ＭＨｚ（＝３％）程度であった。利得は−１０．４１ｄＢｄ、標準ダイポールに比した効率は９．１％になった。
【実施例５】
【００３６】
導体テープを絶縁セパレータ膜と積層して、これらを導体テープの長手方向と直交する二本の平行線周りに平たく積層状に（扁平ロール状に）巻回して、下記のようなアンテナ素子を試作した。
・導体テープ（銅テープ）
幅寸法Ｗ  ：  ３６ｍｍ
長さ寸法Ｌ：  ３６０ｍｍ
厚さ寸法ｔ：  ３５μｍ
・絶縁セパレータ膜（中密度ＰＥフィルム）
厚さ寸法：  ０．０８ｍｍ
・第１タップ（銅線）
接続位置：  ロール状導体テープの始点
・第２タップ（銅線）
接続位置：  展開した導体テープにおいて始点から２００ｍｍの位置
・アンテナ素子
外寸長  ：  ４３ｍｍ
幅寸法  ：  ３６ｍｍ
厚さ寸法：  ３．３ｍｍ
形状    ：  薄型扁平状
重量    ：  ６．８ｇ【００３７】
このアンテナ素子の特性を、ベクトルネットワークアナライザ（アンリツ株式会社、ＭＳ２０３４Ａ）を用いて測定した。当初、共振周波数が１６０ＭＨｚ近辺であったので、鏝（こて）で加熱しながら加圧して扁平ロール状の導体テープ及び絶縁セパレータ膜を圧縮したところ、共振周波数１４２．９１ＭＨｚでＶＳＷＲが１．１０、特性インピーダンスは５１．８６−６．０７ｊであった。この結果、導体テープのロール層間に空隙が生じないように密に巻くことが効果的であることが判った。
【実施例６】
【００３８】
導体テープを絶縁セパレータ膜と積層して、これらを導体テープの長手方向と直交する二本の平行線周りに平たく積層状に（扁平ロール状に）巻回して、下記のようなアンテナ素子を試作した。尚、製作に際しては、加圧、及び、加熱しながら、導体テープのロール層間が密となるように、導体テープと絶縁セパレータ膜を巻回した。
・導体テープ（銅テープ）
幅寸法Ｗ  ：  ３６ｍｍ
長さ寸法Ｌ：  ３３５ｍｍ
厚さ寸法ｔ：  ３５μｍ
・絶縁セパレータ膜（中密度ＰＥフィルム）
厚さ寸法：  ０．０８ｍｍ
・第１タップ（銅線）
接続位置：  ロール状導体テープの始点
・第２タップ（銅線）
接続位置：  展開した導体テープにおいて始点から１５０ｍｍの位置
・アンテナ素子
外寸長  ：  ４３ｍｍ
幅寸法  ：  ２３ｍｍ
厚さ寸法：  ２．５ｍｍ
形状    ：  薄型扁平状
重量    ：  ６．０ｇ【００３９】
このアンテナ素子の特性を、ベクトルネットワークアナライザ（アンリツ株式会社、ＭＳ２０３４Ａ）を用いて測定したところ、共振周波数１４５．８２ＭＨｚでＶＳＷＲが１．２６、特性インピーダンスは１４６．０４＋１１．０８ｊであり、高域側にもう一つ現れた共振周波数４４４．００ＭＨｚではＶＳＷＲが２．１２であった。
【実施例７】
【００４０】
導体テープを絶縁セパレータ膜と積層して、これらを導体テープの長手方向と直交する軸線周りに円筒状に巻回して、下記のようなアンテナ素子を試作した。
・導体テープ（アルミニウムテープ）
幅寸法Ｗ  ：  ５０ｍｍ
長さ寸法Ｌ：  １０００ｍｍ
厚さ寸法ｔ：  １１μｍ
・絶縁セパレータ膜（紙テープ）
厚さ寸法：  ０．１２ｍｍ
・第１タップ
接続位置：  ロール状導体テープの始点
接続方法：  幅２０ｍｍ、長さ３５ｍｍの銅ストリップを、厚さ０．０８ｍｍのＰＥフィルムで被覆してなる容量結合タップを、導体テープのロール層内に挟み込んだ。
・第２タップ
接続位置：  展開した導体テープにおいて始点から２５０ｍｍの位置
接続方法：  幅２０ｍｍ、長さ３５ｍｍの銅ストリップを、厚さ０．０８ｍｍのＰＥフィルムで被覆してなる容量結合タップを、導体テープのロール層内に挟み込んだ。
・第３タップ
接続位置：  展開した導体テープにおいて始点から５００ｍｍの位置
接続方法：  幅２０ｍｍ、長さ３５ｍｍの銅ストリップを、厚さ０．０８ｍｍのＰＥフィルムで被覆してなる容量結合タップを、導体テープのロール層内に挟み込んだ。
・アンテナ素子
外寸長：  ５５ｍｍ
内径  ：  ７ｍｍ
外径  ：  ２２ｍｍ
形状  ：  円筒状
重量  ：  ２１９ｇ【００４１】
このアンテナ素子の特性を、ベクトルネットワークアナライザ（アンリツ株式会社、ＭＳ２０３４Ａ）を用いて測定したところ、ＶＳＷＲは三箇所の共振周波数で急峻に低下し、特性インピーダンスは共振周波数５０ＭＨｚで３１．１７−３４．７５ｊ、２４２ＭＨｚで５１．１−＋２４．７ｊ、３３１ＭＨｚで５０．８９＋３９．１６ｊであった。いずれの共振周波数においても、このアンテナ素子に手を触れてもＶＳＷＲ特性に大きな変化は現れず、従って、このアンテナ素子はアンテナ周囲からの影響に対して充分に鈍感であることが確認された。
【産業上の利用可能性】
【００４２】
本発明によるアンテナ素子は、アンテナ周囲からの影響を受けにくい鈍感なアンテナ素子であり、しかも小型軽量に構成できるので、例えばＶＨＦ帯の無線周波を利用したテレメトリによる野生動物の調査に好適に利用することができる。
【符号の説明】
【００４３】
１：アンテナ素子、
２：導体テープ、
３：絶縁セパレータ膜、
４：第１タップ、
５：第２タップ、
６：同相電流阻止用コア、
７：金属パネル、
８：ＳＭＡコネクタ、
９：芯線
【図１】
2013035152.tif 000003
【図２】
2013035152.tif 000004
【図３】
2013035152.tif 000005
【図４】
2013035152.tif 000006
【国際調査報告】
2013035152.tif 000007
2013035152.tif 000008
2013035152.tif 000009
2013035152.tif 000010